(57)【要約】【課題】各商品の売上を販売形態により分類して集計できるようにする。【解決手段】特定の販売形態を宣言する販売形態宣言手段、及びこの販売形態宣言手段による販売形態の宣言を解除する宣言解除手段を設ける。入力手段によりデータ入力された商品に対して販売形態宣言手段により特定の販売形態が宣言されているか否かを判断する。そして、特定の販売形態が宣言されていないと判断された商品の売上を第１のメモリ領域に登録処理する。また、特定の販売形態が宣言されていると判断された商品の売上を第１のメモリ領域とは異なる第２のメモリ領域に登録処理する。【選択図】　図７
2004078855.tif 000002
【特許請求の範囲】
【請求項１】
販売商品を特定するデータを入力する入力手段と、
特定の販売形態を宣言する販売形態宣言手段と、
前記入力手段によりデータ入力された商品に対して前記販売形態宣言手段により前記特定の販売形態が宣言されているか否かを判断する販売形態判断手段と、
この販売形態判断手段により前記特定の販売形態が宣言されていないと判断された商品の売上を第１のメモリ領域に登録処理する第１の売上登録処理手段と、
前記販売形態判断手段により前記特定の販売形態が宣言されていると判断された商品の売上を前記第１のメモリ領域とは異なる第２のメモリ領域に登録処理する第２の売上登録処理手段と、
を具備したことを特徴とする商品販売登録装置。
【請求項２】
第１の売上登録処理手段により売上を登録処理する第１のメモリ領域を指定する情報を予め商品毎に設定するとともに、第２の売上登録処理手段により売上を登録する第２のメモリ領域を指定する情報を設定し、前記第１の売上登録処理手段は、この設定情報で商品毎に指定された第１のメモリ領域に特定の販売形態が宣言されていないと判断された商品の売上を登録処理し、前記第２の売上登録処理手段は、前記第１メモリ領域設定情報と第２メモリ領域設定情報とから第２のメモリ領域を指定する情報を算出し、この算出情報で指定された第２のメモリ領域に特定の販売形態が宣言されていると判断された商品の売上を登録処理することを特徴とする請求項１記載の商品販売登録装置。
【請求項３】
入力手段は、販売商品を特定するデータとして各商品にそれぞれ設定されるＰＬＵコードを入力するものであり、
各商品のＰＬＵコードに対応して、その商品１点あたりの販売価格を記憶するとともに、第１の売上登録処理手段によって売上が登録処理される第１のメモリ領域と、第２の売上登録処理手段によって売上が登録処理される第２のメモリ領域とを形成してなるＰＬＵファイルを有することを特徴とする請求項１記載の商品販売登録装置。
【発明の詳細な説明】
【０００１】
【発明の属する技術分野】
本発明は、電子式キャッシュレジスタやＰＯＳ（Ｐｏｉｎｔ　Ｏｆ　Ｓａｌｅｓ：販売時点情報管理）ターミナル等の商品販売登録装置に関わり、特に、店頭売りと配達売り等のように２種類以上の販売形態で商品を販売する小売店向けの商品販売登録装置に関する。
【０００２】
【従来の技術】
商品販売に関するデータの入力により売上をメモリ領域に登録処理する商品販売登録装置には、ＰＬＵ（Ｐｒｉｃｅ　Ｌｏｏｋ　Ｕｐ）登録機能を有するものがある。この機能を有する装置は、各商品にそれぞれ設定された各ＰＬＵコードに対応して、単価，売上点数，売上金額等の項目データをそれぞれ記憶したＰＬＵファイルを備えている。そして、販売商品のＰＬＵコードが入力されると、このＰＬＵコードに対応して記憶されている単価を読み出し、この単価と販売点数とから販売商品の販売金額を算出して、販売点数及び販売金額をＰＬＵファイルの当該ＰＬＵコードに対応する売上点数データ及び売上金額データにそれぞれ加算登録処理するものとなっている。この機能により、各商品の売上を商品別に集計することができる。
【０００３】
また、各商品を分類する商品群にそれぞれ設定された各商品群コードに対応して、売上点数，売上金額等の項目データをそれぞれ記憶した商品群ファイルを設けるとともに、ＰＬＵファイルのデータ項目に商品群コードを追加する。そして、販売商品のＰＬＵコードが入力されると、このＰＬＵコードに対応して記憶されている単価とともに商品群コードを読み出し、販売点数及び販売金額をＰＬＵファイルに登録処理するとともに、商品群ファイルの当該商品群コードに対応する売上点数データ及び売上金額データにそれぞれ加算登録処理するようにしたものもある。この機能により、各商品の売上を商品群別に分類して集計することができる。
【０００４】
【発明が解決しようとする課題】
従来の商品販売登録装置においては、ＰＬＵコードが入力された商品の売上をＰＬＵコード別及び商品群別にそれぞれ集計できるものの、ＰＬＵファイルに設定できる商品群コードは１ＰＬＵコード当たり１種類であったので、１つのＰＬＵコードが割り当てられた商品の売上を、例えば販売形態の違いにより異なる商品群の売上として集計することはできなかった。
【０００５】
酒や米等を販売している小売店では、顧客が購入した商品を自宅等のように顧客が指定する場所まで配達するサービスを行っているところが多い。このような店では、商品の売上を、店頭で販売商品を引き渡してしまう店頭売りの分と、配達サービスによって販売商品を後で届ける配達売りの分とに分けて管理したい要望がある。このような管理を行うことにより、例えば商品または商品群別に店頭売りと配達売りの比率を把握することが容易となる。しかし、従来の商品販売登録装置においては、各商品の売上を販売形態により分類して集計することができなかったので、上記のような要望を満足させることはできなかった。
【０００６】
そこで本発明は、各商品の売上を販売形態により分類して集計することができる商品販売登録装置を提供しようとするものである。
【０００７】
【課題を解決するための手段】
本発明の商品販売登録装置は、特定の販売形態を宣言する販売形態宣言手段を設けるとともに、販売形態判断手段，第１の売上登録処理手段及び第２の売上登録処理手段を設ける。販売形態判断手段は、入力手段によりデータ入力された商品に対して販売形態宣言手段により特定の販売形態が宣言されているか否かを判断する。第１の売上登録処理手段は、販売形態判断手段により特定の販売形態が宣言されていないと判断された商品の売上を第１のメモリ領域に登録処理する。第２の売上登録処理手段は、販売形態判断手段により特定の販売形態が宣言されていると判断された商品の売上を第１のメモリ領域とは異なる第２のメモリ領域に登録処理する。
【０００８】
このような構成により、販売形態宣言手段により特定の販売形態が宣言された状態で、入力手段により商品販売に関するデータが入力されると、この商品の売上が第２のメモリ領域に登録処理される。その後、販売形態の宣言が行われていない状態で、入力手段により商品販売に関するデータが入力されると、この商品の売上が第１のメモリ領域に登録処理される。したがって、同じ商品であっても特定の販売形態が宣言されているときと宣言されていないときとで異なるメモリ領域に売上が登録処理される。
【０００９】
【発明の実施の形態】
以下、本発明の一実施の形態を図面を用いて説明する。
なお、この実施の形態は、店頭売りと配達売りの２種類の販売形態を有する小売店、例えば酒販店で使用される電子式キャッシュレジスタにおいて、店頭売りを基本の販売形態とし、配達売りを特定の販売形態とした場合である。
【００１０】
図１は本実施の形態における電子式キャッシュレジスタ１の外観構成を示す斜視図であり、この電子式キャッシュレジスタ１は、上面手前側にキーボード２とモードスイッチ３を設け、上面奥側にオペレータ用ディスプレイ４と客用表示器５とを設けている。また、レシート印字及びジャーナル印字を行うためのプリンタ６を内蔵しており、このプリンタによって印字されたレシートを上面左側のレシート発行口７から排出するようになっている。さらに、現金等を収容するためのドロワ９を正面下部に形成している。
【００１１】
キーボード２には、図２に示すように、「００」及び「０」〜「９」の置数キー２１や、それぞれ異なるＰＬＵコードがプリセットされた複数のプリセットＰＬＵキー２２の他、ＰＬＵキー２３、乗算キー２４、クリアキー２５、小計キー２６、登録締めキーとしての預／現計キー２７、配達宣言キー２８、取消キー２９等の各種ファンクションキーを配設している。配達宣言キー２８は、特定の販売形態である配達売りを宣言する販売形態宣言手段として機能する。
【００１２】
モードスイッチ３は、「登録」，「点検」，「精算」，「設定」等の無各種業務モードを選択しその実行を指令するための制御スイッチで、鍵にて切換え操作される。因みに、「登録」とは、入力手段を介して入力された商品販売に関するデータを基に商品の売上をメモリ領域に登録処理する業務のモードである。「点検」とは、「登録」によって登録処理されたメモリ領域のデータを売上点検レポートとして記録紙に印字出力する業務のモードである。「精算」とは、「点検」と同様にメモリ領域のデータを売上精算レポートとして記録紙に印字出力した後、メモリ領域をクリアする業務のモードである。「設定」とは、各種業務を実行する上で必要なデータを予めメモリ領域に設定する業務のモードである。
【００１３】
図３は上記電子式キャッシュレジスタ１の内部構成を示すブロック図である。この電子式キャッシュレジスタ１は、制御部本体としてＣＰＵ（Ｃｅｎｔｒａｌ　Ｐｒｏｃｅｓｓｉｎｇ　Ｕｎｉｔ）１０を搭載している。また、このＣＰＵ１０が実行するプログラム等の固定的データを予め格納したＲＯＭ（Ｒｅａｄ　Ｏｎｌｙ　Ｍｅｍｏｒｙ）１１、各商品の売上を登録処理するためのメモリ領域が形成されるＲＡＭ（Ｒａｎｄｏｍ　Ａｃｃｅｓｓ　Ｍｅｍｏｒｙ）１２、現在の日付及び時刻を計時する時計部１３、モードスイッチ３からの信号が入力されるとともに、ドロワ９の開放機構に駆動信号を出力するＩ／Ｏポート１４、キーボード２からキー入力データを取り込むキーボードコントローラ１５、オペレータ用ディスプレイ４を制御してデータ表示させる第１の表示コントローラ１６、客用表示器５を制御してデータ表示させる第２の表示コントローラ１７、プリンタ６を制御してデータ印字を行わせるプリンタコントローラ１８等を設けている。そして、ＣＰＵ１０と、ＲＯＭ１１，ＲＡＭ１２，時計部１３，Ｉ／Ｏポート１４，キーボードコントローラ１５，第１，第２の表示コントローラ１６，１７及びプリンタコントローラ１８とを、アドレスバス，データバス等のバスライン１９で接続して、電子式キャッシュレジスタ１の制御回路を構成している。
【００１４】
かかる構成の電子式キャッシュレジスタ１は、ＲＡＭ１２に、特に図４に示すように、各商品にそれぞれ設定された各ＰＬＵコードに対応して、ＰＬＵ名称，その商品１点当たりの販売価格である単価，リンク部門コード（このリンク部門コードが第１メモリ領域設定情報である），売上点数，売上金額等の項目データをそれぞれ記憶したＰＬＵファイル４１と、各部門コードに対応して、部門名称，売上点数，売上金額等の項目データをそれぞれ記憶した部門ファイル４２と、合計器４３と、ワークメモリ４４と、配達フラグのフラグメモリ４５とを形成している。
【００１５】
部門コードは、店頭で販売される各商品をその種別に分類した複数のグループに対してそれぞれ付される店売部門コードと、各店売部門コードにそれぞれ所定数「１０」（この所定数「１０」が第２メモリ領域設定情報である）を加算して算出される配達部門コードとがあり、ＰＬＵファイル４１には、各商品のＰＬＵコードにそれぞれ対応して、その商品が属するグループの店売部門コードがリンク部門コードとして１対１で記憶されている。また、部門ファイル４２には、各店売部門コードに対応して部門名称，売上点数，売上金額等の項目データをそれぞれ記憶した第１のメモリ領域４２−１と、各配達部門コードに対応して部門名称，売上点数，売上金額等の項目データをそれぞれ記憶した第２のメモリ領域４２−２とが形成されている。なお、各店売部門コードは、ＰＬＵファイル４１のリンク部門コードとして設定されているが、各配達部門コードはＰＬＵファイル４１のリンク部門コードとしては設定されていない。
【００１６】
しかして、モードスイッチ３により「登録」モードが選択されている状態において、キーボード２の配達宣言キー２８が入力されると、ＣＰＵ１０は、図５の流れ図に示す処理を実行する。先ず、ＳＴ（ステップ）１としてフラグメモリ４５の配達フラグが“１”にセットされているか否かを判断する。そして、配達フラグがセットされていない場合には、ＳＴ２として配達フラグを“１”にセットする。しかる後、ＳＴ３としてオペレータ用ディスプレイ４にコメント「配達宣言中」を表示させたならば、この配達宣言キー処理を終了する。なお、ＳＴ１にて配達フラグがセットされていた場合には、ＳＴ２，ＳＴ３の処理を行うことなくこの配達宣言キー処理を終了する。
【００１７】
また、同じく「登録」モードが選択されている状態において、取消キー２９が入力された場合には、ＣＰＵ１０は、図６の流れ図に示す処理を実行する。先ず、ＳＴ１１としてフラグメモリ４５の配達フラグが“１”にセットされているか否かを判断する。そして、配達フラグがセットされていた場合には、ＳＴ２として配達フラグを“０”にリセットする。しかる後、ＳＴ３としてオペレータ用ディスプレイ４に表示されているコメント「配達宣言中」を消去したならば、この取消キー処理を終了する。なお、配達フラグがセットされていない場合には、直前に登録した商品の売上を取消す直前取消処理を実行する。
【００１８】
また、同じく「登録」モードが選択されている状態において、プリセットＰＬＵキー２２または置数キー２１とＰＬＵキー２３とによりＰＬＵコードが入力された場合には、ＣＰＵ１０は、図７の流れ図に示す処理を実行する。先ず、ＳＴ２１としてＰＬＵファイル４１から入力ＰＬＵコードに対応して記憶されている名称，単価及びリンク部門コードの各項目データを読込む。次に、ＳＴ２２として前記配達フラグが“１”にセットされているか否かを判断する（販売形態判断手段）。
【００１９】
ここで、配達フラグがセットされていない場合には、ＳＴ２３としてＰＬＵファイル４１から読込んだリンク部門コードをワークメモリ４４に上書き格納する。次に、ＳＴ２４としてＰＬＵファイル４１から読込んだ単価に販売点数（ＰＬＵコードの入力直前に置数キー２１と乗算キー２４とにより乗数が入力されていた場合にはその乗数、乗数が入力されていない場合には１）を乗算して販売金額を算出し、この販売金額をＰＬＵファイル４１から読込んだ名称とともにオペレータ用ディスプレイ４及び客用表示器５に表示させる。また、ＳＴ２５として当該名称と販売金額をプリンタ６によりレシート用紙及びジャーナル用紙に印字させる。さらに、ＳＴ２６として当該販売金額を合計器４３に加算処理する。しかる後、ＳＴ２７として入力ＰＬＵコードに対応するＰＬＵファイル４１の売上点数データ及び売上金額データに、当該販売点数及び販売金額をそれぞれ加算登録処理する。また、ＳＴ２８としてワークメモリ４４内の部門コードに対応する部門ファイル４２の売上点数データ及び売上金額データに、当該販売点数及び販売金額をそれぞれ加算登録処理する（第１の売上登録処理手段）。以上で、今回のＰＬＵコード入力処理を終了する。
【００２０】
一方、ＳＴ２２にて配達フラグがセットされている場合には、ＳＴ２９としてＰＬＵファイル４１から読込んだリンク部門コードをワークメモリ４４に上書き格納した後、ＳＴ３０としてこのワークメモリ４４内の部門コードに所定数Ｎ（本実施の形態ではＮ＝１０）を加算する。次に、ＳＴ３１としてＰＬＵファイル４１から読込んだ単価に販売点数を乗算して販売金額を算出し、この販売金額をＰＬＵファイル４１から読込んだ名称とともにオペレータ用ディスプレイ４及び客用表示器５に表示させる。次に、ＳＴ３２として文字情報「配達」をプリンタ６によりレシート用紙及びジャーナル用紙に印字させた後、ＳＴ３３として当該名称と販売金額を同じくプリンタ６によりレシート用紙及びジャーナル用紙に印字させる。次に、ＳＴ３４として当該販売金額を合計器４３に加算処理する。また、ＳＴ３５として入力ＰＬＵコードに対応するＰＬＵファイル４１の売上点数データ及び売上金額データに、当該販売点数及び販売金額をそれぞれ加算登録処理する。さらに、ＳＴ３６としてワークメモリ４４内の部門コードに対応する部門ファイル４２の売上点数データ及び売上金額データに、当該販売点数及び販売金額をそれぞれ加算登録処理する（第２の売上登録処理手段）。しかる後、ＳＴ３７として配達フラグを“０”にリセットするとともに（宣言解除手段）、ＳＴ３８としてオペレータ用ディスプレイ４に表示されているコメント「配達宣言中」を消去したならば、今回のＰＬＵコード入力処理を終了する。
【００２１】
また、同じく「登録」モードが選択されている状態において、預／現計キー２７が入力された場合には、ＣＰＵ１０は、合計器４３内の金額データに基づいて算出された合計金額と預り金額（預／現計キー２７の入力直前に数値データが置数されていた場合にはその数値、置数されていない場合には合計金額）とから釣銭額を算出する。そして、釣銭額をオペレータ用ディスプレイ４及び客用表示器５に表示させる。また、合計金額，預り金額，釣銭額などをプリンタ６によりレシート用紙及びジャーナル用紙に印字させ、レシート発行口７からレシートを発行させる。しかる後、Ｉ／Ｏポート１４からドロワ９の開放機構に駆動信号を出力してドロワ９を自動開放させたならば、合計器４３をクリアして、この預／現計キー入力処理を終了する。
【００２２】
このように構成された本実施の形態の電子式キャッシュレジスタにおいては、「登録」モードにおいて、商品販売に関するデータとして販売商品のＰＬＵコードをキーボード２から入力すると、この商品の売上点数及び売上金額がＰＬＵファイル４１と部門ファイル４２とにそれぞれ加算登録処理される。ＰＬＵファイル４１に対しては、入力されたＰＬＵコードに対応して売上が登録処理される。
【００２３】
他方、部門ファイル４２に対しては、配達フラグがセットされているときとセットされていないときとで売上が登録されるメモリ領域が異なる。すなわち、配達フラグがセットされていないときには、入力されたＰＬＵコードに対応してＰＬＵファイル４１に設定されているリンク部門コード（店売部門コード）のメモリ領域４２−１に登録処理される。配達フラグがセットされているときには、上記リンク部門コードに所定数（この実施の形態では１０）を加算して算出した部門コード（配達部門コード）のメモリ領域４２−２に登録処理される。
【００２４】
配達フラグは、ＰＬＵコードの入力直前に配達宣言キー２８が入力されるとセットされる。そして、その後、ＰＬＵコードが入力されて商品の売上登録処理が実行されると、配達フラグが自動的にリセットされる。したがって、例えば顧客が店頭で買い上げる商品を登録する場合において、顧客が自身で持ち帰る商品、つまり店頭売りの商品を登録する際には配達宣言キー２８を入力せずにＰＬＵコードを入力し、配達サービスを頼まれた商品、つまり配達売りの商品を登録する際には配達宣言キー２８を入力してからＰＬＵコードを入力することによって、部門ファイル４２に対し、店頭売り商品の売上は第１のメモリ領域４２−１に登録処理され、配達売り商品の売上は第２のメモリ領域４２−１に登録処理される。
【００２５】
例えば今、ＰＬＵファイル４１に図４に示すデータが記憶されている状態で、一人の客が商品Ａを２点と商品Ｂを１点購入し、そのうち商品Ａ１点のみを持ち帰り、残りの商品Ａと商品Ｂの配達を依頼したとする。この場合、キャッシャは、持ち帰りの商品Ａの売上を登録する際には当該商品ＡのＰＬＵコードのみを入力するが、配達依頼を受けた商品Ａ及びＢの売上を登録する際には、いずれも配達宣言キー２８を入力してから商品Ａまたは商品ＢのＰＬＵコードを入力する。こうすることにより、部門ファイル４２において、商品Ａのリンク部門コードＤＰ１１に対応する第１のメモリ領域４２−１には、商品Ａの売上点数「１」と売上金額「１２００」が登録処理される。一方、商品Ａと商品Ｂのリンク部門コードＤＰ１１に所定数「１０」を加算して算出した部門コードＤＰ２１に対応する第２のメモリ領域４２−２には、商品Ａの売上点数「１」及び売上金額「１２００」と、商品Ｂの売上点数「１」及び売上金額「１０００」が登録処理される。
【００２６】
その後、キャッシャが預／現計キー２７を入力して、この客との商取引の登録締めを宣言すると、図８に示すようなレシート５０が発行される。レシート５０には、配達売りの商品に対して文字情報「配達」が印字されて、店頭売りの商品と区別されるので、レシート５０の内容から、配達売り商品と店頭売り商品とを容易に識別できる。
【００２７】
なお、配達宣言キー２８の入力に応じてセットされた配達フラグは、ＰＬＵコードの入力前に取消キー２９が入力されたときにもリセットされる。したがって、店頭売り商品の売上を登録する際に誤って配達宣言キー２８を入力してしまった場合には、取消キー２９を入力すればよい。この場合において、配達宣言キー２８の入力に応じてオペレータ用ディスプレイ４にはコメント「配達宣言中」が表示されるので、キャッシャは配達宣言キー２８の誤操作に容易に気が付く。
【００２８】
ところで、部門ファイル４２に部門コード別に集計された売上データは、例えば「精算」モードにおいて、部門ファイル４２の精算業務を指令することによって、図９に示すように、精算レポート６０としてプリントアウトされる。したがって、店側は、この精算レポート６０の内容から、店頭売りとして販売された各商品の部門別売上と、配達売りとして販売された各商品の部門別売上とを確認することができる。その結果、たとえ同一商品であっても、店頭売りとして販売された分の売上と配達売りとして販売された分の売上とを分けて管理できるようになる。
【００２９】
なお、「点検」モードにおいて、部門ファイル４２の点検算業務を指令することにより、部門ファイル４２の内容を点検レポートとしてプリントアウトさせても、店頭売りとして販売された各商品の部門別売上と配達売りとして販売された各商品の部門別売上とを確認できるのは言うまでもないことである。
【００３０】
本実施の形態では、部門ファイル４２の第１のメモリ領域４２−１を指定する情報として、各商品の店売部門コードをＰＬＵファイル４１にリンク部門コードとして設定し、この店売部門コードに所定数を演算して、第２のメモリ領域４２−２を指定する情報である配達部門コードを算出するようにしている。したがって、ＰＬＵファイル４１に設定されるリンク部門コードは従来と同様に１種類なので、既存のＰＬＵファイルをそのまま適用することができる。
【００３１】
なお、本発明は前記一実施の形態に限定されるものではない。
例えば、前記実施の形態では、ＰＬＵコード入力処理のＳＴ３７の処理で配達フラグを自動的にリセットし、続いてＳＴ３８の処理でコメント「配達宣言中」を消去するようにしたが、このＳＴ３７，ＳＴ３８の処理を省略し、取消キー２９の入力によってのみ配達フラグをリセットし、かつコメント「配達宣言中」を消去するようにしてもよい。こうすることにより、１人の客が買い上げる商品の中に配達売りで販売される商品が複数存在するとき、これらの商品の売上を続けて登録することによって、配達宣言キー２８の入力を最初の１回に簡略化することができる。
【００３２】
また、前記実施の形態では、ＰＬＵコードが入力された商品の売上を店頭売りのときと配達売りのときとで部門コードを異ならせて登録処理する場合を示したが、ＰＬＵコードを異ならせて登録処理してもよい。例えば、店頭売りのときには入力されたＰＬＵコードのメモリ領域に登録処理し、配達売りのときには入力されたＰＬＵコードの最下位桁に“１”を付加して配達売用ＰＬＵコードを生成し、この配達売用ＰＬＵコードに登録処理する。こうすることにより、店頭売りとして販売された各商品の単品別売上と、配達売りとして販売された各商品の単品別売上とを容易に確認することができる。
【００３３】
また、店頭売りとして販売された各商品の単品別売上と、配達売りとして販売された各商品の単品別売上との確認を容易にする他の実施形態として、次のような構成も可能である。すなわち、ＰＬＵファイル４１を、図１０に示すように、各商品にそれぞれ設定された各ＰＬＵコードに対応して、ＰＬＵ名称及び単価とともに、第１メモリ領域である売上点数，売上金額の店売売上エリア７１と、第２メモリ領域である売上点数，売上金額の配達売上エリア７２とを形成したＰＬＵファイル７０とする。
【００３４】
しかして、ＣＰＵ１０は、「登録」モードが選択されている状態において、プリセットＰＬＵキー２２または置数キー２１とＰＬＵキー２３とによりＰＬＵコードが入力された場合には、ＣＰＵ１０は、図１１の流れ図に示す処理を実行する。なお、前記実施の形態の図７と同一部分には同一符号を付して詳しい説明を省略する。
【００３５】
すなわちＣＰＵ１０は、ＳＴ２１としてＰＬＵファイル４１から入力ＰＬＵコードに対応して記憶されている名称，単価及びリンク部門コードの各項目データを読込み、次に、ＳＴ２２として前記配達フラグが“１”にセットされているか否かを判断して、セットされていない場合には、ＳＴ２３の処理を省略して、ＳＴ２４〜ＳＴ２６の各処理を実行する。しかる後、ＳＴ２７の処理に代えて、ＳＴ４１として入力ＰＬＵコードに対応するＰＬＵファイル７０の店売売上エリア７１における売上点数データ及び売上金額データに、当該販売点数及び販売金額をそれぞれ加算登録処理する。以上で、今回のＰＬＵコード入力処理を終了し、ＳＴ２８の処理は省略する。
【００３６】
一方、ＳＴ２２にて配達フラグが“１”にセットされていた場合には、ＳＴ２９，ＳＴ３０の各処理を省略して、ＳＴ３１〜ＳＴ３４の各処理を実行する。しかる後、ＳＴ３５の処理に代えて、ＳＴ４２として入力ＰＬＵコードに対応するＰＬＵファイル７０の配達売上エリア７２における売上点数データ及び売上金額データに、当該販売点数及び販売金額をそれぞれ加算登録処理する。その後、ＳＴ３６の処理を省略し、ＳＴ３７，ＳＴ３８の各処理を実行したならば、今回のＰＬＵコード入力処理を終了する。
【００３７】
このように構成された他の実施形態においても、「精算」モードにおいて、ＰＬＵファイル７０の精算業務を指令することによって、ＰＬＵファイル７０の店売売上エリア７１及び配達売上エリア７２にそれぞれＰＬＵコード別に集計された売上データが精算レポートとしてプリントアウトされる。この場合において、例えば店売売上エリア７１を選択指定することによって、図１２（ａ）に示すように、店頭売りとして販売された商品のみの単品別売上精算レポート８１を得たり、配達売上エリア７２を選択指定することによって、図１２（ｂ）に示すように、配達売りとして販売された商品のみの単品別売上精算レポート８２を得たりすることが容易にできる。
【００３８】
なお、前記各実施の形態では、店頭売りを基本の販売形態とし、配達売りを特定の販売形態としたが、配達売りを基本の販売形態とし、店頭売りを特定の販売形態とすることも可能である。また、店頭売りや配達売り以外の販売形態にも本発明は同様に適用できるものである。
この他、ＰＬＵコードの入力をスキャニング入力するなど、本発明の要旨を逸脱しない範囲で種々変形実施可能であるのは勿論である。
【００３９】
【発明の効果】
以上詳述したように本発明によれば、各商品の売上を販売形態により分類して集計することができる商品販売登録装置を提供できる。
【図面の簡単な説明】
【図１】本発明の一実施の形態である電子式キャッシュレジスタの外観斜視図。
【図２】同電子式キャッシュレジスタのキーボードを示す図。
【図３】同電子式キャッシュレジスタの内部構成を示すブロック図。
【図４】同電子式キャッシュレジスタの主要なメモリエリアを示す図。
【図５】同電子式キャッシュレジスタのＣＰＵが実行する配達宣言キー処理の要部を示す流れ図。
【図６】同電子式キャッシュレジスタのＣＰＵが実行する取消キー処理の要部を示す流れ図。
【図７】同電子式キャッシュレジスタのＣＰＵが実行するＰＬＵコード入力処理の要部を示す流れ図。
【図８】同電子式キャッシュレジスタにおいて印字発行されるレシートの一例を示す図。
【図９】同電子式キャッシュレジスタにおいて印字発行される部門精算レポートの一例を示す図。
【図１０】本発明の他の実施形態におけるＰＬＵファイルの構成を示す模式図。
【図１１】同他の実施形態においてＣＰＵが実行するＰＬＵコード入力処理の要部を示す流れ図。
【図１２】同他の実施形態において印字発行される単品別売上精算レポートの一例を示す図。
【符号の説明】
１…電子式キャッシュレジスタ
２…キーボード
３…モードスイッチ
４…オペレータ用ディスプレイ
５…客用表示器
６…プリンタ
９…ドロワ
１０…ＣＰＵ
１１…ＲＯＭ
１２…ＲＡＭ
２８…配達宣言キー
２９…取消キー
４１，７０…ＰＬＵファイル
４２…部門ファイル
５０…レシート
【図１】
2004078855.tif 000003
【図２】
2004078855.tif 000004
【図３】
2004078855.tif 000005
【図４】
2004078855.tif 000006
【図５】
2004078855.tif 000007
【図６】
2004078855.tif 000008
【図７】
2004078855.tif 000009
【図８】
2004078855.tif 000010
【図９】
2004078855.tif 000011
【図１０】
2004078855.tif 000012
【図１１】
2004078855.tif 000013
【図１２】
2004078855.tif 000014